(57)【要約】【課題】ディスプレイ部の上下方向に対して広い音場を再生できる表示装置、テレビジョン装置を提供する。【解決手段】細長構造のスピーカ装置をディスプレイ部の周囲に配置した表示装置１である。スピーカ装置１５が、ディスプレイ部１０の左右側に位置するサイド・スピーカ部１５Ｌ，１５Ｒ、および、ディスプレイ部の上側に位置するトップ・スピーカ部１６Ｌ，１６Ｒを有する。サイド・スピーカ部は、サイド・スピーカ部の短軸がディスプレイ部の左右方向に沿って延びるとともに、ディスプレイ部の正面に向けて設置される。トップ・スピーカ部は、トップ・スピーカ部の短軸がディスプレイ部の上下方向に沿って延びるとともに、ディスプレイ部の正面に向けて設置されている。【選択図】図１
2018042023.tif 000002
【特許請求の範囲】
【請求項１】
細長構造のスピーカ装置をディスプレイ部の周囲に配置した表示装置であって、
前記スピーカ装置が、前記ディスプレイ部の左右側に位置するサイド・スピーカ部、および、前記ディスプレイ部の上側に位置するトップ・スピーカ部を有し、
前記サイド・スピーカ部は、該サイド・スピーカ部の短軸が前記ディスプレイ部の左右方向に沿って延びるとともに、前記ディスプレイ部の正面に向けて設置され、
前記トップ・スピーカ部は、該トップ・スピーカ部の短軸が前記ディスプレイ部の上下方向に沿って延びるとともに、前記ディスプレイ部の正面に向けて設置されていることを特徴とする表示装置。
【請求項２】
請求項１に記載の表示装置であって、
前記トップ・スピーカ部は、前記サイド・スピーカ部の上方位置に配置されることを特徴とする表示装置。
【請求項３】
請求項１または２に記載の表示装置であって、
前記トップ・スピーカ部のみから音声を出力する第１出力モードと、前記サイド・スピーカ部のみから音声を出力する第２出力モードと、前記トップ・スピーカ部および前記サイド・スピーカ部から音声を出力する第３出力モードとを切り替えるモード設定部とを備えることを特徴とする表示装置。
【請求項４】
請求項１から３のいずれか一項に記載の表示装置を備えたテレビジョン装置。
【発明の詳細な説明】
【技術分野】
【０００１】
本発明は、表示装置、テレビジョン装置に関し、詳細には、細長構造のスピーカ装置をディスプレイ部の周囲に配置した表示装置、テレビジョン装置に関する。
【背景技術】
【０００２】
表示装置では、スピーカ装置をディスプレイ部の左右両側に設置すると、表示装置の横幅が大きくなるという懸念がある。このため、薄型の表示装置では、丸型のスピーカ装置を下向きに取り付けもの（ヒドゥンスピーカ構造ともいう）、スピーカ装置の前方に細長い音導構造を設けたものや、細長構造のスピーカ装置を用いるものが知られている。例えば、特許文献１には、細長構造のスピーカ装置をディスプレイ部の左右両側に設置した構造が開示されている。
【先行技術文献】
【特許文献】
【０００３】
【特許文献１】特開２００８−１６７２６８号公報
【発明の概要】
【発明が解決しようとする課題】
【０００４】
しかしながら、上記ヒドゥン構造のスピーカ装置の場合、音は下向きに出力されて例えばテレビ台に反射してから視聴者に届くため、音質が劣化して広がり感のある音場を再生しにくいという懸念がある。また、上記細長い音導構造を設けた場合にも、音の出口が狭められており、やはり音質が劣化して広がり感のある音場を再生しにくくなる。
【０００５】
また、上記特許文献１のように、細長構造のスピーカ装置をディスプレイ部の左右両側に設置した場合、縦長に配置されているため、ディスプレイ部の左右方向には広い音場を再生可能であるものの、ディスプレイ部の上下方向には広い音場を再生できないという問題がある。
【０００６】
本発明は、上述のような実情に鑑みてなされたもので、ディスプレイ部の上下方向に対して広い音場を再生できる表示装置、テレビジョン装置を提供することを目的とする。
【課題を解決するための手段】
【０００７】
上記課題を解決するために、本発明の第１の技術手段は、細長構造のスピーカ装置をディスプレイ部の周囲に配置した表示装置であって、前記スピーカ装置が、前記ディスプレイ部の左右側に位置するサイド・スピーカ部、および、前記ディスプレイ部の上側に位置するトップ・スピーカ部を有し、前記サイド・スピーカ部は、該サイド・スピーカ部の短軸が前記ディスプレイ部の左右方向に沿って延びるとともに、前記ディスプレイ部の正面に向けて設置され、前記トップ・スピーカ部は、該トップ・スピーカ部の短軸が前記ディスプレイ部の上下方向に沿って延びるとともに、前記ディスプレイ部の正面に向けて設置されていることを特徴としたものである。
【０００８】
第２の技術手段は、第１の技術手段において、前記トップ・スピーカ部は、前記サイド・スピーカ部の上方位置に配置されることを特徴としたものである。
【０００９】
第３の技術手段は、第１または第２の技術手段において、前記トップ・スピーカ部のみから音声を出力する第１出力モードと、前記サイド・スピーカ部のみから音声を出力する第２出力モードと、前記トップ・スピーカ部および前記サイド・スピーカ部から音声を出力する第３出力モードとを切り替えるモード設定部とを備えることを特徴としたものである。
【００１０】
第４の技術手段は、第１から第３のいずれか１の技術手段を備えたテレビジョン装置であることを特徴としたものである。
【発明の効果】
【００１１】
本発明によれば、サイド・スピーカ部では、ディスプレイ部の左右方向に広い音場を再生でき、トップ・スピーカ部では、ディスプレイ部の上下方向に広い音場を再生できることから、これらを組み合わせて高い音場再生能力を有した表示装置を提供することができる。
【図面の簡単な説明】
【００１２】
【図１】本発明の第１実施形態による表示装置の正面図である。
【図２】トップ・スピーカ部を説明するための図である。
【図３】サイド・スピーカ部を説明するための図である。
【図４】音圧レベルの測定結果を説明するための図である。
【図５】音圧レベルの測定結果を説明するための図である。
【図６】第３実施形態による表示装置の概略構成図である。
【図７】表示装置による動作の一例を説明するための図である。
【発明を実施するための形態】
【００１３】
（第１実施形態）
図１は、本発明の第１実施形態による表示装置の正面図である。表示装置１（例えば薄型のテレビジョン装置）は、矩形状のディスプレイ部１０を有する。ディスプレイ部１０は、例えば、液晶表示装置であり、液晶層やガラス基板などを有した矩形のＬＣＤ（Liquid Crystal Display）パネルや、例えばＬＥＤを導光板の側方に並べたエッジライト型で構成されたバックライト等を備えている。
【００１４】
ディスプレイ部１０は額縁１１で区画されており、ディスプレイ部１０の中央（パネルセンタともいう）の下部にはスタンド１２が取り付けられている。
また、ディスプレイ部１０の周囲には、細長構造のスピーカ装置１５が設置されており、スピーカ装置１５からは、可聴帯域内（例えば２０Ｈｚ〜２０ｋＨｚ程度）の音声を出力できる。
【００１５】
詳しくは、ディスプレイ部１０の上側面には、横長（図示のＸ方向に長い）のスピーカＢＯＸ１３Ｕが設けられている。表示装置１の正面から見てスピーカＢＯＸ１３Ｕの例えば左端には、トップ・スピーカ部１６Ｌが設置され、スピーカＢＯＸ１３Ｕの例えば右端には、トップ・スピーカ部１６Ｒが設置されている。
【００１６】
ディスプレイ部１０の左側面には、縦長（図示のＺ方向に長い）のスピーカＢＯＸ１３Ｌが設けられ、スピーカＢＯＸ１３Ｌの例えば中央には、サイド・スピーカ部１５Ｌが設置されている。また、ディスプレイ部１０の右側面にも、縦長のスピーカＢＯＸ１３Ｒが設けられており、スピーカＢＯＸ１３Ｒの例えば中央には、サイド・スピーカ部１５Ｒが設置されている。
【００１７】
なお、この例では、スピーカ装置をスピーカＢＯＸに設置した例で説明したが、スピーカ装置を額縁１１に埋め込むことも可能である。
サイド・スピーカ部１５Ｌ，１５Ｒやトップ・スピーカ部１６Ｌ，１６Ｒは、いずれも例えば略楕円型のスピーカであり、図１で説明したディスプレイ部１０の正面に向けて設置されている。このように、ディスプレイ部１０の正面に向けて設置すれば、ヒドゥンスピーカ構造にする必要はない。
【００１８】
具体的には、図２（Ａ）に示すように、トップ・スピーカ部１６Ｌ，１６Ｒは、横長（図示のＸ方向に長い）の筐体２０を有し、筐体２０の左右両端には、筐体２０をスピーカＢＯＸ１３Ｕに固定するための固定部２１がそれぞれ形成されている。
筐体２０の中央には、センターキャップ２２が設けられ、その周囲に振動板２３が設置されている。振動板２３は、例えば図示のＸ方向に延びた平行な２辺を有しており、振動板２３のエッジ２４は、筐体２０に支持されている。なお、センターキャップ２２の奥（図２（Ｂ）のＹ軸の負方向）には、ボイスコイルやマグネットなど（いずれも図示省略）が備えられている。なお、略楕円型のスピーカには、図で説明したトラック型（長円形）の他、平行な２辺を有していない、いわゆる楕円型や超楕円型の振動板を有したスピーカも含まれる。楕円型や超楕円型の場合にも、その指向性はトラック型と同じ傾向である。
【００１９】
そして、トップ・スピーカ部１６Ｌ，１６Ｒの短軸は、図１で説明したディスプレイ部１０の上下方向（図示のＺ方向）に沿って延び、その長軸がディスプレイ部１０の左右方向（図示のＸ方向）に沿って延びている。
このように、細長構造にすれば、表示装置のデザイン上の制約を受けにくくなる。また、スピーカ部の前面に音導構造も設ける必要がなくなるため、スピーカ部の直接音を視聴者に届けることができる。
【００２０】
サイド・スピーカ部１５Ｌ，１５Ｒは、図３に示すように、縦長（図示のＺ方向に長い）の筐体２０を有している。なお、サイド・スピーカ部１５Ｌ，１５Ｒの構造は、トップ・スピーカ部１６Ｌ，１６Ｒと同じである。このため、同じ機能を有する構造には同じ符号を付し、詳細な説明は省略する。
一方、サイド・スピーカ部１５Ｌ，１５Ｒの短軸は、図１で説明したディスプレイ部１０の左右方向（図示のＸ方向）に沿って延び、その長軸がディスプレイ部１０の上下方向（図示のＺ方向）に沿って延びている。
【００２１】
トップ・スピーカ部１６Ｌ，１６Ｒやサイド・スピーカ部１５Ｌ，１５Ｒのような、細長構造のスピーカ装置１５の場合、短軸方向（トップ・スピーカ部１６Ｌ，１６ＲでいえばＺ方向、サイド・スピーカ部１５Ｌ，１５ＲでいえばＸ方向）は指向性が広く、長軸方向（トップ・スピーカ部１６Ｌ，１６ＲでいえばＸ方向、サイド・スピーカ部１５Ｌ，１５ＲでいえばＺ方向）は指向性が狭い。
【００２２】
例えば、スピーカ装置を長軸（トップ・スピーカ部１６Ｌ，１６ＲでいえばＸ方向、サイド・スピーカ部１５Ｌ，１５ＲでいえばＺ方向）回りに回転させ、マイクロフォンを用いて音圧特性を測定した場合、３０°回転させて測定しても正面（回転なし：０°回転）で測定したときとほぼ同じであった。また、６０°回転させて測定しても、７ｋＨｚ以下の可聴帯域では、正面（回転なし：０°回転）で測定したときとほぼ同じであり、短軸方向の指向性は広いことが分かる。これに対し、例えば、スピーカ装置を短軸（トップ・スピーカ部１６Ｌ，１６ＲでいえばＺ方向、サイド・スピーカ部１５Ｌ，１５ＲでいえばＸ方向）回りに回転させて音圧特性を測定した場合、１ｋＨｚ以上の可聴帯域の音圧は大きく減少したので、長軸方向の指向性は狭いことが分かる。
【００２３】
また、サイド・スピーカ部１５Ｌのみを駆動させた場合と、トップ・スピーカ部１６Ｌおよびサイド・スピーカ部１５Ｌの双方を駆動させた場合について、マイクロフォンを用いて音圧特性を測定した。
具体的には、マイクロフォンを、図１に示したディスプレイ部１０の左上端（トップ・スピーカ部１６Ｌの位置）の前方に配置した。なお、ディスプレイ部１０から前方のマイクロフォンまでの距離は１ｍである。
【００２４】
ディスプレイ部１０の左上端で音圧特性を測定した場合、サイド・スピーカ部１５Ｌは長軸方向に指向性が狭いことから、サイド・スピーカ部１５Ｌのみを駆動させると、図４に破線で示すように、２ｋＨｚ以上の可聴帯域で音圧特性が減少していた。
これに対し、トップ・スピーカ部１６Ｌおよびサイド・スピーカ部１５Ｌの双方を駆動させた場合には、図４に実線で示すように、２ｋＨｚ以上の可聴帯域でも音圧特性が減少しないので、音圧特性を改善できた。このように、サイド・スピーカ部１５Ｌによる長軸方向の狭い指向性を、トップ・スピーカ部１６Ｌによる短軸方向の広い指向性で補うことができる。
【００２５】
また、マイクロフォンを、図１に示したディスプレイ部１０の左下端（トップ・スピーカ部１６Ｌやサイド・スピーカ部１５Ｌよりも下方の位置）の前方に配置して音圧特性を測定した。なお、ディスプレイ部１０から前方のマイクロフォンまでの距離は１ｍである。
ディスプレイ部１０の左下端で音圧特性を測定した場合、サイド・スピーカ部１５Ｌは長軸方向に指向性が狭いので、サイド・スピーカ部１５Ｌのみを駆動させると、図５に破線で示すように、２ｋＨｚ以上の可聴帯域で音圧特性が減少していた。
【００２６】
これに対し、トップ・スピーカ部１６Ｌおよびサイド・スピーカ部１５Ｌの双方を駆動させた場合、図５に実線で示すように、２ｋＨｚ以上の可聴帯域においても音圧特性が減少せず、音圧特性を改善できた。このように、ディスプレイ部１０の左下端（スピーカ部を設置していない）で測定した場合にも、サイド・スピーカ部１５Ｌによる長軸方向の狭い指向性は、トップ・スピーカ部１６Ｌによる短軸方向の広い指向性で補えることが分かる。
【００２７】
特に、長軸方向の指向性は短軸方向よりも狭いため、サイド・スピーカ部１５Ｌからの音波とトップ・スピーカ部１６Ｌからの音波とは干渉しにくくなることから、良好な音場再生を実現することができる。
なお、トップ・スピーカ部１６Ｒやサイド・スピーカ部１５Ｒを用い、マイクロフォンを、ディスプレイ部１０の右上端や右下端に配置して音圧特性を測定しても上記と同じ結果になった。
【００２８】
このように、サイド・スピーカ部１５Ｌ，１５Ｒでは、ディスプレイ部１０の左右方向に広い音場を再生でき、トップ・スピーカ部１６Ｌ，１６Ｒでは、ディスプレイ部１０の上下方向に広い音場を再生できることから、これらを組み合わせて高い音場再生能力を有した表示装置を提供することができる。
【００２９】
（第２実施形態）
上記第１実施形態では、トップ・スピーカ部１６Ｌがサイド・スピーカ部１５Ｌの上方に配置され、トップ・スピーカ部１６Ｒがサイド・スピーカ部１５Ｒの上方に配置されている例を挙げて説明した。しかし、トップ・スピーカ部１６Ｌ，１６Ｒは、例えば、ディスプレイ部の上方の中央位置に設けることも可能である。
【００３０】
（第３実施形態）
また、トップ・スピーカ部１６Ｌ，１６Ｒやサイド・スピーカ部１５Ｌ，１５Ｒを使い分けてもよい。
詳しくは、図６に示すように、表示装置１の制御部３０が、通信部３１、モード設定部３２、映像音声出力部３３を有している。制御部３０は、例えば、１あるいは複数個のＣＰＵ（Central Processing Unit）等からなり、例えば、ＲＯＭに格納されている各種のプログラムやデータをＲＡＭにロードし、このロードしたＲＡＭ内のプログラムを実行する。これにより、表示装置１の全体の動作を制御する。
【００３１】
制御部３０は通信部３１を介して外部機器やリモコン（いずれも図示省略）に通信可能である。映像音声出力部３３は、例えばデジタル放送信号を受信して復調やデコードし、得られた映像信号に映像信号処理を実行した後、この映像をディスプレイ部１０に表示させる。また、映像音声出力部３３は、復調やデコードによって得られた音声信号に音声信号処理を実行し、この音声をトップ・スピーカ部１６Ｌ，１６Ｒやサイド・スピーカ部１５Ｌ，１５Ｒから出力させる。
【００３２】
また、モード設定部３２は、例えばユーザによる好みによって、視聴するコンテンツのジャンルによって、ユーザ数によって第１〜第３出力モードに切り替え、映像音声出力部３３に指示する。
具体的には、第１出力モードは、トップ・スピーカ部１６Ｌ，１６Ｒのみから音声を出力するためのもの（通常モード）である。第２出力モードは、サイド・スピーカ部１５Ｌ，１５Ｒのみから音声を出力するためのもの（臨場感モード）である。また、第３出力モードは、トップ・スピーカ部１６Ｌ，１６Ｒおよびサイド・スピーカ部１５Ｌ，１５Ｒの双方から音声を出力するためのもの（高臨場感モード）である。
【００３３】
ユーザによる好みとしては、ユーザが、リモコン等で、例えばディスプレイ部１０に表示された音声調整メニュー画面から選択してモードを変更したり、ＡＶポジションを変更した場合、モード設定部３２が第１〜第３出力モードを設定する。このように、ユーザによる操作に基づいて、映画、音楽、スポーツ、ニュースなどの番組ジャンルに合う音場を容易に再生することができる。
例えばニュースやバラエティ番組など、臨場感をそれほど必要としないコンテンツを視るために、例えば音声調整メニュー画面で第１出力モードを選択した場合には、トップ・スピーカ部１６Ｌ，１６Ｒのみを駆動させる。この場合、図７（Ａ）に矢印で示すように、音は上下方向に広がるが、左右方向には広がりにくいので、音場はディスプレイ部１０の横サイズの範囲に限定できる。
【００３４】
また、例えば映画など、臨場感を持ってコンテンツを視聴したいために、例えば音声調整メニュー画面で第２出力モードを選択した場合には、サイド・スピーカ部１５Ｌ，１５Ｒのみを駆動させる。この場合、図７（Ｂ）に矢印で示すように、音は左右方向に広がるが、上下方向には広がりにくいため、音場はディスプレイ部１０の縦サイズの範囲に限定できる。
【００３５】
さらに、例えば音楽番組など、高い臨場感を持ってコンテンツを視聴したいために、例えば音声調整メニュー画面で第３出力モードを選択した場合には、トップ・スピーカ部１６Ｌ，１６Ｒおよびサイド・スピーカ部１５Ｌ，１５Ｒを駆動させる。この場合、図７（Ｃ）に矢印で示すように、音は上下方向および左右方向に広がるので、音場はディスプレイ部１０の縦横サイズを超えることができる。
【００３６】
また、視聴するコンテンツのジャンルによる切り替えとしては、放送波やメディアのコンテンツの付帯情報としてのジャンル情報等を制御部３０が参照することで、モード設定部３２がモードを設定することが出来る。ジャンルがニュース等である場合は、臨場感が必要無いので通常モード、映画等の場合は、臨場感がほしいので、臨場感モード、あるいは高臨場感モードに設定する。このように、ユーザは特別な操作をすることなく、コンテンツにあったモードを自動的に選んで設定することが出来る。
【００３７】
また、ユーザ数による切り替えとしては、ユーザが１人の場合と、ユーザが多人数の場合とでモードを設定することが出来る。詳しくは、視聴がユーザ１人のみか、多人数かを、ユーザがメニュー画面等で選択すると、モード設定部３２がモードを設定することが出来る。ユーザが１人の場合は、音の広がりは不要とし、通常モードに設定する。多人数の場合は、視聴する位置が複数あることから、音がより広がる臨場感モード、あるいは高臨場感モードに設定する。
【符号の説明】
【００３８】
１…表示装置、１０…ディスプレイ部、１１…額縁、１２…スタンド、１３Ｕ，１３Ｌ，１３Ｒ…スピーカＢＯＸ、１５…スピーカ装置、１５Ｌ，１５Ｒ…サイド・スピーカ部、１６Ｌ，１６Ｒ…トップ・スピーカ部、２０…筐体、２１…固定部、２２…センターキャップ、２３…振動板、２４…エッジ、３０…制御部、３１…通信部、３２…モード設定部、３３…映像音声出力部。
【図１】
2018042023.tif 000003
【図２】
2018042023.tif 000004
【図３】
2018042023.tif 000005
【図４】
2018042023.tif 000006
【図５】
2018042023.tif 000007
【図６】
2018042023.tif 000008
【図７】
2018042023.tif 000009